(57)【要約】送信システムのアップサンプラ／補間回路の複雑さを排除または低減するための技術。一般に、この技術は、変調された信号を、周波数領域から時間領域へ変換することと、アップサンプリングの少なくとも一部を、第１のサンプリング・レートからＤＡＣのサンプリング・レートへ変換することと、の両方を実行するようにＩＦＦＴを設定することを含む。１つの実施形態では、ＩＦＦＴは、ＤＡＣのサンプリング・レートに実質的に等しい帯域幅を持つように設定される。この実施形態では、アップサンプラ／補間回路は、完全に排除される。別の実施形態では、ＩＦＦＴは、変調された信号の第１のサンプリング・レートよりも高く、ＤＡＣのサンプリング・レート未満である帯域幅を有するように設定される。この実施形態では、ＩＦＦＴ帯域幅からＤＡＣのサンプリング・レートまで、残りのアップサンプリングを実行するために、より単純なアップサンプラ／補間回路が適用される。
2011516002.tif 000002
【特許請求の範囲】
【請求項１】
ラジオ周波数（ＲＦ）信号を送信する装置であって、
第１のサンプリング・レートで、周波数領域変調信号を生成するように適応された周波数領域変調器と、
前記第１のサンプリング・レートよりも高い第２のサンプリング・レートで、前記周波数領域変調信号を、時間領域変調信号へ変換するように適応された逆高速フーリエ変換器と、
前記時間領域変調信号を、第３のサンプリング・レートで、デジタル領域からアナログ領域へ変換するように適応されたデジタル・アナログ変換器（ＤＡＣ）とを備え、
前記ＲＦ信号は、前記アナログの時間領域変調信号に基づく装置。
【請求項２】
前記第２のサンプリング・レートは、前記第３のサンプリング・レートと実質的に同一である請求項１に記載の装置。
【請求項３】
前記第１のサンプリング・レートはおよそ１０ＭＨｚであり、前記第２のサンプリング・レートはおよそ１６０ＭＨｚである請求項２に記載の装置。
【請求項４】
前記第２のサンプリング・レートは前記第３のサンプリング・レート未満である請求項１に記載の装置。
【請求項５】
前記デジタルの時間領域変調信号を、前記第２のサンプリング・レートから、前記第３のサンプリング・レートへアップサンプルするように適応された時間領域アップサンプラ／補間回路をさらに備える請求項４に記載の装置。
【請求項６】
前記第１のサンプリング・レートは、およそ１０ＭＨｚであり、前記第２のサンプリング・レートは、およそ４０ＭＨｚであり、前記第３のサンプリング・レートは、およそ１６０ＭＨｚである請求項５に記載の装置。
【請求項７】
前記周波数領域変調器は、直交周波数分割多元接続（ＯＦＤＭＡ）変調器、または直交周波数分割多重化（ＯＦＤＭ）変調器を備える請求項１に記載の装置。
【請求項８】
第２の時間領域変調信号を生成するように適応された時間領域変調器をさらに備え、
前記周波数領域変調器は、前記第２の時間領域変調信号から、前記周波数領域変調信号を生成するように適応された請求項１に記載の装置。
【請求項９】
前記時間領域変調器は、符号分割多元接続（ＣＤＭＡ）変調器、シングル・キャリア周波数分割多重化（ＳＣ−ＦＤＭ）変調器、または時分割多重化（ＴＤＭ）変調器を備える請求項８に記載の装置。
【請求項１０】
前記ＩＦＦＴによって生成された時間領域変調信号の、指定された処理を実行するように適応されたポストＩＦＦＴ処理モジュールをさらに備える請求項１に記載の装置。
【請求項１１】
前記指定された処理は、自動利得制御、サイクリック・プレフィクスおよびウィンドウ追加、ならびに、前記時間領域変調信号に対するオーバラップおよび追加のうちの１または複数を備える請求項１０に記載の装置。
【請求項１２】
結果として得られるブロックのサイズが、前記ＩＦＦＴのサイズと実質的に同一になるように、前記時間領域変調信号のブロックに１または複数のゼロを追加するように適応されたゼロ・パッド・モジュールをさらに備える請求項１に記載の装置。
【請求項１３】
前記ＤＡＣの出力から前記ＲＦ信号を生成するように適応されたアナログ・フロント・エンドをさらに備える請求項１に記載の装置。
【請求項１４】
前記ＲＦ信号を無線媒体へ送信するように適応されたアンテナをさらに備える請求項１に記載の装置。
【請求項１５】
ラジオ周波数（ＲＦ）信号を送信する方法であって、
第１のサンプリング・レートを有する周波数領域変調信号を生成することと、
前記第１のサンプリング・レートよりも高い第２のサンプリング・レートで、前記周波数領域変調信号を、時間領域変調信号へ変換することと、r
前記時間領域変調信号を、第３のサンプリング・レートで、デジタル領域からアナログ領域へ変換することとを備え、
前記ＲＦ信号は、前記アナログの時間領域変調信号に基づく方法。
【請求項１６】
前記第２のサンプリング・レートは、前記第３のサンプリング・レートと実質的に同一である請求項１５に記載の方法。
【請求項１７】
前記第１のサンプリング・レートはおよそ１０ＭＨｚであり、前記第２のサンプリング・レートはおよそ１６０ＭＨｚである請求項１５に記載の方法。
【請求項１８】
前記第２のサンプリング・レートは前記第３のサンプリング・レート未満である請求項１５に記載の方法。
【請求項１９】
前記デジタルの時間領域変調信号を、前記第２のサンプリング・レートから、前記第３のサンプリング・レートへアップサンプルすることさらに備える請求項１５に記載の方法。
【請求項２０】
前記第１のサンプリング・レートは、およそ１０ＭＨｚであり、前記第２のサンプリング・レートは、およそ４０ＭＨｚであり、前記第３のサンプリング・レートは、およそ１６０ＭＨｚである請求項１９に記載の方法。
【請求項２１】
前記周波数領域変調信号を生成することは、直交周波数分割多元接続（ＯＦＤＭＡ）変調、または直交周波数分割多重化（ＯＦＤＭ）変調を実行することを備える請求項１５に記載の方法。
【請求項２２】
前記周波数領域変調信号が生成される第２の時間領域変調信号を生成することをさらに備える請求項１５に記載の方法。
【請求項２３】
前記第２の時間領域変調信号を生成することは、符号分割多元接続（ＣＤＭＡ）変調、シングル・キャリア周波数分割多重化（ＳＣ−ＦＤＭ）変調、または時分割多重化（ＴＤＭ）変調を実行することを備える請求項２２に記載の方法。
【請求項２４】
前記時間領域変調信号の、指定された処理を実行することをさらに備える請求項１５に記載の方法。
【請求項２５】
前記指定された処理は、自動利得制御、サイクリック・プレフィクスおよびウィンドウ追加、ならびに、前記時間領域変調信号に対するオーバラップおよび追加のうちの１または複数を備える請求項２４に記載の方法。
【請求項２６】
前記周波数領域変調信号を前記時間領域変調信号へ変換する前に、前記周波数領域変調信号のブロックをリサイズすることをさらに備える請求項１５に記載の方法。
【請求項２７】
前記アナログの時間領域変調信号を前記ＲＦ信号へアップコンバートすることをさらに備える請求項１５に記載の方法。
【請求項２８】
前記ＲＦ信号を無線媒体へ送信することをさらに備える請求項１５に記載の方法。
【請求項２９】
ラジオ周波数（ＲＦ）信号を送信する装置であって、
第１のサンプリング・レートで、周波数領域変調信号を生成する手段と、
前記第１のサンプリング・レートよりも高い第２のサンプリング・レートで、前記周波数領域変調信号を、時間領域変調信号へ変換する手段と、
前記時間領域変調信号を、第３のサンプリング・レートで、デジタル領域からアナログ領域へ変換する手段とを備え、
前記ＲＦ信号は、前記アナログの時間領域変調信号に基づく装置。
【請求項３０】
前記第２のサンプリング・レートは、前記第３のサンプリング・レートと実質的に同一である請求項２９に記載の装置。
【請求項３１】
前記第１のサンプリング・レートはおよそ１０ＭＨｚであり、前記第２のサンプリング・レートはおよそ１６０ＭＨｚである請求項３０に記載の装置。
【請求項３２】
前記第２のサンプリング・レートは前記第３のサンプリング・レート未満である請求項２９に記載の装置。
【請求項３３】
前記デジタルの時間領域変調信号を、前記第２のサンプリング・レートから、前記第３のサンプリング・レートへアップサンプルする手段をさらに備える請求項３２に記載の装置。
【請求項３４】
前記第１のサンプリング・レートは、およそ１０ＭＨｚであり、前記第２のサンプリング・レートは、およそ４０ＭＨｚであり、前記第３のサンプリング・レートは、およそ１６０ＭＨｚである請求項３３に記載の装置。
【請求項３５】
前記周波数領域変調信号を生成する手段は、直交周波数分割多元接続（ＯＦＤＭＡ）変調、または直交周波数分割多重化（ＯＦＤＭ）変調を実行する手段を備える請求項２９に記載の装置。
【請求項３６】
前記周波数領域変調信号が生成される第２の時間領域変調信号を生成する手段をさらに備える請求項２９に記載の装置。
【請求項３７】
前記第２の時間領域変調信号を生成する手段は、
符号分割多元接続（ＣＤＭＡ）変調を実行する手段、シングル・キャリア周波数分割多重化（ＳＣ−ＦＤＭ）変調を実行する手段、または、時分割多重化（ＴＤＭ）変調を実行する手段を備える請求項３６に記載の装置。
【請求項３８】
前記時間領域変調信号の、指定された処理を実行する手段をさらに備える請求項２９に記載の装置。
【請求項３９】
前記指定された処理を実行する手段は、自動利得制御を実行する手段、サイクリック・プレフィクスおよびウィンドウ追加のための手段、および、前記時間領域変調信号に対するオーバラップおよび追加のための手段、のうちの１または複数を備える請求項３８に記載の装置。
【請求項４０】
結果として得られるブロックのサイズが、前記周波数領域変調信号を前記時間領域変調信号へ変換する手段のものと同じサイズになるように、前記周波数領域変調信号のブロックに、１または複数のゼロを追加する手段をさらに備える請求項２９に記載の装置。
【請求項４１】
前記ＲＦ信号を生成するために、前記アナログの時間領域変調信号をアップコンバートする手段をさらに備える請求項２９に記載の装置。
【請求項４２】
前記ＲＦ信号を無線媒体へ送信する手段をさらに備える請求項２９に記載の装置。
【請求項４３】
コンピュータ読取可能媒体を備えるコンピュータ読取可能製品であって、
前記コンピュータ読取可能媒体は、
コンピュータに対して、第１のサンプリング・レートで、周波数領域変調信号を生成させるためのコードと、
コンピュータに対して、前記第１のサンプリング・レートよりも高い第２のサンプリング・レートで、前記周波数領域変調信号を、時間領域変調信号へ変換させるためのコードと、
コンピュータに対して、前記時間領域変調信号を、第３のサンプリング・レートで、デジタル領域からアナログ領域へ変換させるためのコードと
を備えるコンピュータ読取可能製品。
【請求項４４】
前記第２のサンプリング・レートは、前記第３のサンプリング・レートと実質的に同一である請求項４３に記載のコンピュータ読取可能媒体。
【請求項４５】
前記第２のサンプリング・レートは前記第３のサンプリング・レート未満である請求項４３に記載のコンピュータ読取可能媒体。
【発明の詳細な説明】
【関連出願に対する相互参照】
【０００１】
本願は、２００８年３月２８日に出願され、“Ｍｅｔｈｏｄ  ａｎｄ  Ｓｙｓｔｅｍ  ｆｏｒ  Ｔｒａｎｓｍｉｔ  Ｕｐｓａｍｐｌｉｎｇ  ｖｉａ  ＩＦＦＴ”と題され、参照によって本明細書に組み込まれている米国仮出願６１／０４０，５７９号の出願日の利益を主張する。
【技術分野】
【０００２】
本開示は、一般に通信システムに関し、さらに詳しくは、入力されたデータのレートよりもはるかに高いレートで逆高速フーリエ変換（ＩＦＦＴ）をクロックし、データのアップサンプリングを実行することによって、データを送信する方法に関する。
【背景技術】
【０００３】
無線通信システムは、例えば、音声、データ等のようなさまざまなタイプのコンテンツを提供するために広く開発されてきた。これらのシステムは、（例えば、帯域幅、送信電力等のような）利用可能なシステム・リソースを共有することにより、複数のユーザとの通信をサポートすることができる多元接続システムでありうる。そのような多元接続システムの例は、符号分割多元接続（ＣＤＭＡ）システム、時分割多元接続（ＴＤＭＡ）システム、周波数分割多元接続（ＦＤＭＡ）システム、３ＧＰＰ  ＬＴＥシステム、および直交周波数分割多元接続（ＯＦＤＭＡ）システム等を含む。
【０００４】
通常、無線多元接続通信システムは、複数の無線端末のための通信を同時にサポートすることができる。端末はおのおのの、順方向リンクおよび逆方向リンクによる送信を介して１または複数の基地局と通信することができる。順方向リンク（すなわちダウンリンク）は、基地局から端末への通信リンクを称し、逆方向リンク（すなわちアップリンク）は、端末から基地局への通信リンクを称する。この通信リンクは、単一入力単一出力システム、複数入力単一出力システム、あるいは複数入力複数出力（ＭＩＭＯ）システム等によって確立されうる。
【０００５】
ＭＩＭＯシステムは、データ送信に関し、複数（ＮＴ個）の送信アンテナと、複数（ＮＲ個）の受信アンテナとを使用する。ＮＴ個の送信アンテナおよびＮＲ個の受信アンテナによって形成されるＭＩＭＯチャネルは、空間チャネルとも称されるＮＳ個の独立チャネルへ分割される。ここでＮＳ≦ｍｉｎ｛ＮＴ、ＮＲ｝である。ＮＳ個の独立チャネルのおのおのは、ディメンションに相当する。複数の送信アンテナおよび受信アンテナによって生成される追加のディメンションが利用される場合、ＭＩＭＯシステムは、（例えば、より高いスループット、および／または、より高い信頼性のような）向上されたパフォーマンスを与える。
【０００６】
ＭＩＭＯシステムは、時分割デュプレクス（ＴＤＤ）システム、および周波数分割デュプレクス（ＦＤＤ）システムをサポートする。ＴＤＤシステムでは、相互原理によって、逆方向リンク・チャネルから順方向リンク・チャネルを推定できるように、順方向リンク送信および逆方向リンク送信が、同じ周波数領域にある。これによって、アクセス・ポイント（ＡＰ）において複数のアンテナが利用可能である場合、アクセス・ポイント（ＡＰ）は、順方向リンクにおける送信ビームフォーミング利得を抽出することが可能となる。
【０００７】
しばしば、そのような通信システムでは、送信機は、無線媒体による送信のために、出力されるデータを調整するためのいくつかの構成要素を含む。そのような構成要素は、例えば、出力されるデータから複素シンボルを生成する変調器と、複素シンボルを周波数領域から時間領域へ変換する逆高速フーリエ変換器（ＩＦＦＴ）とを含むことができる。時間領域では、例えば、サイクリック・プレフィクス追加、ウィンドウ化、オーバラップ、およびウィンドウ化されたシンボルの追加のような追加処理を行うことができる。その後、出力される信号は、デジタル・アナログ変換器（ＤＡＣ）によってアンプサンプルおよび処理されて、アナログ信号が生成される。このアナログ信号はさらに、アンテナを介して無線媒体へ送られるために、アナログ領域でフィルタおよびアップコンバートされ、ラジオ周波数（ＲＦ）信号が生成される。
【０００８】
多くのシステムでは、ＤＡＣは、一般に、ベースバンド・システム帯域幅よりもはるかに高いサンプリング周波数（レート）（ここでは、第１のサンプリング・レートと称される）で動作する。一例として、１つの実施では、ベースバンド・システム帯域幅は、１０ＭＨｚであり、ＤＡＣサンプリング周波数（レート）は、１６０ＭＨｚである。そのような高いサンプリング・レートとなる理由は２つある。（１）高いサンプリング・レートは、周波数領域における画像が、ベースバンド信号スペクトルから良好に分離されることを保証する。（２）“Ｓｙｎｃ”フィルタのストップ帯域が、ベースバンド信号スペクトルよりもはるかに高いことを保証することによって、ベースバンド信号スペクトルは、ＤＡＣロー・パス（low-pass）“Ｓｙｎｃ”フィルタによる最低限の歪みしか受けない。
【０００９】
多くのシステムでは、出力される信号を、ＤＡＣサンプリング・レートへアップサンプルために、時間領域アップサンプラ／補間回路（interpolator）が使用される。時間領域アップサンプラ／補間回路は、一般に、いくつかの時間領域タップを備えた直列式の時間領域フィルタである。アップサンプリング／補間は、これら時間領域フィルタを用いて、ベースバンド信号を畳み込むことを含む。これら時間領域フィルタは、ＤＡＣサンプリング周波数以下の周波数にクロックされている。これらの演算は、計算上大容量のメモリを使うので、電力をかなり消費する。
【００１０】
一例として、第１のサンプリング・レートは１０ＭＨｚであり、ＤＣサンプリング・レートは１６０ＭＨｚでありうる。時間領域におけるアップサンプリング／補間回路は、１０ＭＨｚから、１６倍である１６０ＭＨｚの時間領域をアップサンプルする必要がある。これは、計算上大容量のメモリを使いうる。したがって、時間領域アップサンプラ／補間回路を完全に省くか、あるいは、その複雑さを顕著に低減すると同時に、送信される信号の所望のサンプリング・レートを達成することが望まれる。
【発明の概要】
【００１１】
本開示の態様は、送信システムから時間領域アップサンプラ／補間回路を省く技術に関する。一般に、この技術は、変調された信号を、周波数領域から時間領域へ変換するのみならず、信号のアップサンプリングを、第１のサンプリング・レートからＤＡＣサンプリング・レートへ変換することをも実行するように逆高速フーリエ変換器（ＩＦＦＴ）を設定することを伴う。第１のサンプリング・レートは、一般に、ベースバンド・システム帯域幅に実質的に等しい。特に、この技術は、ＩＦＦＴ帯域幅を、ＤＡＣサンプリング・レートに実質的に等しくなるまで増加させることを含む。
【００１２】
１つの実施形態では、上記の技術を適用する送信システムは、下記（１）乃至（５）を備える。（１）第１のサンプリング・レートで変調信号を生成するように適応された変調器（例えば、ＯＦＤＭ、ＯＦＤＭＡ、ＣＤＭＡ、ＳＣ−ＦＤＭ、ＴＤＭ等の変調器）。ＯＦＤＭまたはＯＦＤＭＡの変調器は、周波数領域で信号を生成する一方、ＣＤＭＡ、ＳＣ−ＦＤＭ、またはＴＤＭの変調器は、時間領域で信号を生成することが理解されるものとする。変調器が、時間領域で信号を生成する場合、第１のサンプリング・レートと等しい帯域幅を備えたＦＦＴが、この信号を周波数領域に変換するために使用される。（２）変調された信号を、ＤＡＣサンプリング・レートと実質的に等しいＩＦＦＴ帯域幅を使用することにより、周波数領域から時間領域へ変換するように適応されたＩＦＦＴ。（３）時間領域で変調された信号について、指定された処理（例えば、自動利得制御（ＡＧＣ）、サイクリック・プレフィクスおよびウィンドウ追加、オーバラップ、および追加等）を実行するように適応されたポストＩＦＦＴ処理モジュール。（４）処理された時間領域で変調された信号を、デジタル領域からアナログ領域へ変換するように適応されたデジタル・アナログ変換器（ＤＡＣ）。（５）アナログ・ベースバンド信号を、さらにフィルタし、無線媒体へ送信されうるＲＦ信号へアップコンバートするように適応されたアナログ・フロント・エンド。
【００１３】
本開示の別の態様は、送信システムの時間領域アップサンプラ／補間回路の複雑さを低減する技術に関する。一般に、この技術は、ＤＡＣ周波数よりも小さく、ベースバンド信号の第１のサンプリング・レートよりも高い帯域幅（本明細書では、第２のサンプリング・レートとも称される）で、上記実施形態におけるＩＦＦＴエンジンを設定することを伴う。ポストＩＦＦＴ処理モジュールは、時間領域で変調された信号について、指定された処理（例えば、ＡＧＣ、サイクリック・プレフィクスおよびウィンドウ追加、オーバラップ、および追加等）を実行するように適応される。次に、時間領域アップサンプラ／補間回路は、第２のサンプリング・レートからＤＡＣサンプリング・レートまで、データのアップサンプリングを実行するように適応される。
【００１４】
このアップサンプラ／補間回路の低減されたアップサンプリング要件によって、使用される時間領域タップの数も低減され、もって、計算上の複雑さ、および、使用される処理電力が低減される。例えば、送信機データパスにおいて使用されるべき一定の帯域幅制限を持つＩＦＦＴを、モデムが既に有している場合、この実施形態が使用されることが理解されるものとする。この場合、このＩＦＦＴエンジンを再使用する方が、ＤＡＣサンプリング・レートに実質的に等しい帯域幅を持つ別のＩＦＦＴを用いるよりも、より効率的である。
【００１５】
この実施形態の一例として、第１のサンプリング・レートは、１０ＭＨｚであり、第２のサンプリング・レート（例えば、ＩＦＦＴ帯域幅）は４０ＭＨｚであり、ＤＡＣサンプリング・レートは１６０ＭＨｚでありうる。ＩＦＦＴのトーン間隔が１０ｋＨｚであると仮定すると、ＩＦＦＴサイズは、４０ＭＨｚ／１０ｋＨｚ＝４０００として与えられる。既に説明したように、一般に、ＩＦＦＴサイズは、最も近い２乗の数、この場合、４０９６までラウンド・アップされる。ＩＦＦＴの出力において生成された時間領域データは、４０ＭＨｚのサンプリングを有する。したがって、時間領域アップサンプリング／補間回路は、時間領域データを、４０ＭＨｚから、その４倍である１６０ＭＨｚまでアップサンプルする必要がある。これは、少ない数のタップしか持たず、複雑さが低減された時間領域補間回路／アップサンプラによって達成される。
【００１６】
本開示の他の態様、利点、および新規の特徴は、添付図面とともに考慮された場合、本開示の以下の詳細説明から明らかになるだろう。
【図面の簡単な説明】
【００１７】
本開示の特徴、特性、および利点は、同一の参照符号が全体を通じて同一物に特定している図面とともに考慮された場合、以下に記載する詳細な記述からより明らかになるだろう。
【図１】図１は、本開示の態様にしたがう典型的な多元接続無線通信システムを例示する。
【図２】図２は、本開示の別の態様にしたがう典型的な通信システムのブロック図を例示する。
【図３Ａ】図３Ａは、本開示の別の態様にしたがう典型的な送信システムのブロック図を例示する。
【図３Ｂ】図３Ｂは、本開示の別の態様にしたがう別の典型的な送信システムのブロック図を例示する。
【図３Ｃ】図３Ｃは、本開示の別の態様による典型的なゼロ・パッド・モジュールの動作を例示する図を例示する。
【図４Ａ】図４Ａは、本開示の別の態様による別の典型的な送信システムのブロック図を例示する。
【図４Ｂ】図４Ｂは、本開示の別の態様による別の典型的な送信システムのブロック図を例示する。
【図５Ａ】図５Ａは、本開示の別の態様にしたがってＲＦ信号を送信する典型的な方法のフローチャートを例示する。
【図５Ｂ】図５Ｂは、本開示の別の態様にしたがってＲＦ信号を送信する別の典型的な方法のフローチャートを例示する。
【発明を実施するための形態】
【００１８】
本明細書に記載された技術は、例えば符号分割多元接続（ＣＤＭＡ）ネットワーク、時分割多元接続（ＴＤＭＡ）ネットワーク、周波数分割多元接続（ＦＤＭＡ）ネットワーク、直交周波数分割多元接続（ＯＦＤＭＡ）ネットワーク、シングル・キャリアＦＤＭＡ（ＳＣ−ＦＤＭＡ）ネットワーク等のような様々な無線通信ネットワークのために使用される。「システム」、「ネットワーク」という用語は、しばしば置換可能に使用される。ＣＤＭＡネットワークは、例えば、ユニバーサル地上ラジオ・アクセス（ＵＴＲＡ）、ｃｄｍａ２０００等のようなラジオ技術を実施することができる。ＵＴＲＡは、広帯域ＣＤＭＡ（Ｗ−ＣＤＭＡ）およびロー・チップ・レート（ＬＣＲ）を含んでいる。ｃｄｍａ２０００はＩＳ−２０００規格、ＩＳ−９５規格、およびＩＳ−８５６規格をカバーする。ＴＤＭＡネットワークは、例えばグローバル移動体通信システム（ＧＳＭ（登録商標））のようなラジオ技術を実現することができる。ＯＦＤＭＡネットワークは、例えばイボルブドＵＴＲＡ（Ｅ−ＵＴＲＡ）、ＩＥＥＥ  ８０２．１１、ＩＥＥＥ  ８０２．１６、ＩＥＥＥ  ８０２．２０、フラッシュＯＦＤＭ（登録商標）等のようなラジオ技術を実施することができる。ＵＴＲＡ、Ｅ−ＵＴＲＡ、およびＧＳＭは、ユニバーサル・モバイル・テレコミュニケーション・システム（ＵＭＴＳ）の一部である。ロング・ターム・イボリューション（ＬＴＥ）は、Ｅ−ＵＴＲＡを使用するＵＭＴＳの最新のリリースである。ＵＴＲＡ、Ｅ−ＵＴＲＡ、ＧＳＭ、ＵＭＴＳ、およびＬＴＥは、「第３世代パートナシップ計画」（３ＧＰＰ）と命名された組織からの文書に記載されている。ｃｄｍａ２０００は、「第３世代パートナシップ計画２」（３ＧＰＰ２）と命名された組織からの文書に記載されている。これらさまざまなラジオ技術および規格は、当該技術分野において知られている。明確にするために、これら技術のある態様は、以下において、ＬＴＥについて記載されており、ＬＴＥ用語が以下の説明の多くで使用される。
【００１９】
シングル・キャリア周波数分割多元接続（ＳＣ−ＦＤＭＡ）は、単一のキャリア変調および周波数領域等値化を利用する技術である。ＳＣ−ＦＤＭＡは、ＯＦＤＭＡシステムと同じ性能、および実質的に同じ全体的な複雑さを有する。ＳＣ−ＦＤＭＡ信号は、その固有のシングル・キャリア構造により、低いピーク対平均電力比（ＰＡＰＲ）を有する。ＳＣ−ＦＤＭＡは、送信電力効率の観点において、低いＰＡＰＲがモバイル端末に大いに有益となるアップリンク通信において特に、大きな注目を集めた。それは現在、３ＧＰＰロング・ターム・イボリューション（ＬＴＥ）またはイボルブドＵＴＲＡにおけるアップリンク多元接続スキームのために動作していると仮定されている。
【００２０】
図１に示すように、本開示の態様にしたがう典型的な多元接続無線通信システムが例示されている。アクセス・ポイント１００（ＡＰ）は、複数のアンテナ・グループを含んでいる。１つは１０４、１０６を含み、他のものは１０８、１１０を含み、さらに他のものは１１２、１１４を含む。図１では、おのおののアンテナ・グループについて２本のアンテナしか示されていない。しかしながら、おのおののアンテナ・グループについて、それより多くまたはそれより少ないアンテナが利用されうる。アクセス端末１１６（ＡＴ）はアンテナ１１２およびアンテナ１１４と通信しており、アンテナ１１２、１１４は、順方向リンク１２０でアクセス端末１１６へ情報を送信し、逆方向リンク１１８でアクセス端末１１６から情報を受信する。アクセス端末１２２は、アンテナ１０６、１０８と通信しており、アンテナ１０６、１０８は、順方向リンク１２６でアクセス端末１２２へ情報を送信し、逆方向リンク１２４でアクセス端末１２２から情報を受信する。ＦＤＤシステムでは、通信リンク１１８、１２０、１２４、１２６は、通信のために、異なる周波数を使用しうる。例えば、順方向リンク１２０は、逆方向リンク１１８によって使用されるものとは異なる周波数を使用しうる。
【００２１】
通信するように設計された領域および／またはアンテナのおのおののグループは、しばしば、アクセス・ポイントのセクタと称される。実施形態では、アンテナ・グループはおのおの、アクセス・ポイント１００によってカバーされている領域のセクタ内のアクセス端末と通信するように設計されている。
【００２２】
順方向リンク１２０、１２６による通信では、アクセス・ポイント１００の送信アンテナは、別のアクセス端末１１６、１２４の順方向リンクの信号対雑音比を改善するために、ビームフォーミングを利用する。さらに、有効範囲領域にわたってランダムに散在するアクセス端末へ送信するためにビームフォーミングを用いるアクセス・ポイントは、全てのアクセス端末へ単一のアンテナによって送信するアクセス・ポイントよりも、近隣のセル内のアクセス端末に対して少ない干渉しかもたらさない。
【００２３】
アクセス・ポイントは、端末と通信するために使用される固定局であり、アクセス・ポイント、ノードＢ、あるいはその他幾つかの専門用語でも称されうる。アクセス端末はまた、ユーザ機器（ＵＥ）、無線通信デバイス、端末、あるいはその他のいくつかの用語で称される。
【００２４】
図２は、開示の別の態様にしたがうＭＩＭＯシステム２００における典型的な送信機システム２１０（アクセス・ポイントとしても知られている）および受信機システム２５０（アクセス端末としても知られている）のブロック図を例示する。送信機システム２１０では、多くのデータ・ストリーム用のトラフィック・データが、データ・ソース２１２から送信（ＴＸ）データ・プロセッサ２１４に提供される。
【００２５】
実施形態では、おのおののデータ・ストリームが、それぞれの送信アンテナを介して送信される。ＴＸデータ・プロセッサ２１４は、おのおののデータ・ストリームのトラフィック・データ・ストリームをフォーマットし、このデータ・ストリームのために選択された特定の符合化スキームに基づいて符号化し、インタリーブして、符合化されたデータを提供する。
【００２６】
おのおののデータ・ストリームの符合化されたデータは、ＯＦＤＭ技術を用いてパイロット・データと多重化されうる。パイロット・データは一般に、既知の方法で処理される既知のデータ・パターンであり、チャネル応答を推定するために受信機システムにおいて使用されうる。おのおののデータ・ストリームについて多重化されたパイロットおよび符合化されたデータは、データ・ストリームのために選択された特定の変調スキーム（例えば、ＢＰＳＫ、ＱＰＳＫ、Ｍ−ＰＳＫ、あるいはＭ−ＱＡＭ等）に基づいて変調（例えば、シンボル・マップ）され、変調シンボルが提供される。おのおののデータ・ストリームのデータ・レート、符号化、および変調は、プロセッサ２３０によって実行される命令群によって決定されうる。
【００２７】
すべてのデータ・ストリームの変調シンボルは、（例えば、ＯＦＤＭのために）変調シンボルをさらに処理するＴＸ  ＭＩＭＯプロセッサ２２０に提供される。ＴＸ  ＭＩＭＯプロセッサ２２０はその後、ＮＴ個の変調シンボル・ストリームを、ＮＴ個の送信機（ＴＭＴＲ）２２２ａ乃至２２２ｔへ提供する。ある実施形態では、ＴＸ  ＭＩＭＯプロセッサ２２０は、データ・ストリームのシンボル、および、そのシンボルが送信されるアンテナへ、ビームフォーミング重みを適用する。
【００２８】
おのおのの送信機２２２は、１または複数のアナログ信号を提供するために、それぞれのシンボル・ストリームを受信して処理し、さらには、ＭＩＭＯチャネルを介した送信に適切な変調信号を提供するために、このアナログ信号を調整（例えば、増幅、フィルタ、およびアップコンバート）する。送信機２２２ａ乃至２２２ｔからのＮＴ個の変調信号は、ＮＴ個のアンテナ２２４ａ乃至２２４ｔそれぞれから送信される。
【００２９】
受信機システム２５０では、送信された変調信号がＮＲ個のアンテナ２５２ａ乃至２５２ｒによって受信され、おのおののアンテナ２５２からの受信信号が、それぞれの受信機（ＲＣＶＲ）２５４ａ乃至２５４ｒへ提供される。おのおのの受信機２５４は、それぞれの受信信号を調整（例えば、フィルタ、増幅、およびダウンコンバート）し、この調整された信号をデジタル化してサンプルを提供し、さらにこのサンプルを処理して、対応する「受信された」シンボル・ストリームを提供する。
【００３０】
ＲＸデータ・プロセッサ２６０は、ＮＲ個の受信機２５４からＮＲ個のシンボル・ストリームを受信し、受信されたこれらシンボル・ストリームを、特定の受信機処理技術に基づいて処理して、ＮＴ個の「検出された」シンボル・ストリームを提供する。ＲＸデータ・プロセッサ２６０は、その後、検出されたおのおののシンボル・ストリームを復調し、デインタリーブし、復号して、そのデータ・ストリームのためのトラフィック・データを復元する。ＲＸデータ・プロセッサ２６０による処理は、送信機システム２１０におけるＴＸ  ＭＩＭＯプロセッサ２２０およびＴＸデータ・プロセッサ２１４によって実行されるものと相補的である。
【００３１】
プロセッサ２７０は、上述したように、どの事前符合化行列を使用するのかを定期的に決定する。さらに、プロセッサ２７０は、行列インデクス部およびランク値部を備えた逆方向リンク・メッセージを規定することができる。
【００３２】
逆方向リンク・メッセージは、通信リンクおよび／または受信されたデータ・ストリームに関するさまざまなタイプの情報を備えうる。逆方向リンク・メッセージは、多くのデータ・ストリームのトラフィック・データをデータ・ソース２３６から受け取るＴＸデータ・プロセッサ２３８によって処理され、変調器２８０によって変調され、送信機２５４ａ乃至２５４ｒによって調整され、基地局２１０へ送り戻される。
【００３３】
送信機システム２１０では、受信機システム２５０からの変調信号がアンテナ２２４によって受信され、受信機２２２によって調整され、復調器２４０によって復調され、ＲＸデータ・プロセッサ２４２によって処理されることによって、受信機システム２５０によって送信された逆方向リンク・メッセージが抽出される。プロセッサ２３０は、その後、ビームフォーミング重みを決定するためにどの事前符号化行列を使用するのかを決定し、その後、抽出されたメッセージを処理する。
【００３４】
ほとんどすべての無線通信システム送信機は、送信される前に、信号をアップサンプルする。例えば、１０ＭＨｚのデジタル入力信号は、例えば１６０ＭＨｚのような所望のレートで到着するために、時間領域補間フィルタを用いてアップサンプルされうる。したがって、そのようなシステムにおけるアップサンプラは、一般に、送信帯域幅に一致されるだろう。これによって、例えばＯＦＤＭＡ構成において、送信帯域幅が増加する場合、アップサンプラ・レートもまた増加する。これは、システムのコストを増加させる。本明細書では、この問題に対する的確な解決策を提供する方法およびシステムが記載される。
【００３５】
ほとんどの無線システムでは、信号波形がアップサンプルされる前に、時間領域へＩＦＦＴ変換される。しかしながら、ＩＦＦＴエンジンは、十分高い周波数でクロックされている場合、アップサンプラとして動作しうることが注目される。すなわち、例えば、１６０ＭＨｚのＩＦＦＴエンジンを使用すると、このＩＦＦＴエンジンは、１６０ＭＨｚの送信帯域幅信号において到着するように、入力信号についてアップサンプリングを実行しうる。送信帯域幅が１６０ＭＨｚである場合、ＩＦＦＴをアップサンプラとして使用することによって、独立したアップサンプラに対する必要性が回避される。これらの改善およびその他の改善は、以下の記載において明らかになるだろう。
【００３６】
図３Ａは、本開示の別の態様にしたがう典型的な送信システム３００のブロック図を例示する。この送信システム３００は、例えば、アクセス・ポイント（ＡＰ）内に存在するような送信機システム２１０において適用されうる。その代わりに、あるいは、それに加えて、この送信システム３００は、例えば、アクセス端末（ＡＴ）内に存在するような受信機システム２５０において適用されうる。
【００３７】
特に、この送信システム３００は、周波数領域変調器ブロック３０２、ゼロ・パッド・モジュール３０４、逆ＦＦＴ（ＩＦＦＴ）３０６、ポストＩＦＦＴ処理モジュール３０８、デジタル・アナログ変換器（ＤＡＣ）３１０、アナログ・フロント・エンド３１２、およびアンテナ３１４を備える。周波数領域変調器ブロック３０２は、入力されたデータから、第１のサンプリング・レートｆＳ１で、周波数領域変調信号Ｓ１（ｆ）を生成する。この場合、第１のサンプリング・レートは、ベースバンド信号帯域幅である。変調器ブロック３０２は、変調信号Ｓ１（ｆ）を生成するために、任意の数の周波数領域変調（例えば、ＯＦＤＭ、ＯＦＤＭＡ等）を適用することができる。入力されたデータは、符号化され、インタリーブされ、信号コンステレーションへ変換され、さらに、その他の処理または追加の処理が適用されることが理解されるものとする。
【００３８】
ゼロ・パッド・モジュール３０４は、得られる変調信号Ｓ２（ｆ）が、ＩＦＦＴ３０６のサイズと実質的に同じブロック・サイズを有するように、変調信号Ｓ１（ｆ）に１または複数のゼロを加える。ＩＦＦＴ３０６は、ＤＡＣ３１０のサンプリング・レートＤＡＣに実質的に等しいサンプリング・レート（すなわち、ＩＦＦＴ帯域幅）を用いて、周波数領域変調信号Ｓ２（ｆ）を、時間領域変調信号Ｓ３（ｔ）へ変換する。ポストＩＦＦＴ処理モジュール３０８は、時間領域変調信号Ｓ３（ｔ）について、指定された処理（例えば、自動利得制御（ＡＧＣ）、サイクリック・プレフィクスおよびウィンドウ追加、オーバラップおよび追加等）を実行し、処理された時間領域変調信号Ｓ４（ｔ）を生成する。ＤＡＣ３１０は、この処理された時間領域変調信号Ｓ４（ｔ）を、デジタル領域からアナログ領域へと変換し、その結果として、アナログ信号Ｓ５（ｔ）を生成する。さらに、アナログ・フロント・エンド３１２は、このアナログ信号Ｓ５（ｔ）をフィルタおよびアップコンバートし、アンテナ３１４を介して無線媒体へ送信されるＲＦ信号Ｓ６（ｔ）を生成する。
【００３９】
この実施形態の例として、周波数領域変調信号Ｓ１（ｆ）の第１のサンプリング・レートｆＳ１は、１０ＭＨｚであり、ＤＡＣ３１０のサンプリング・レートｆＤＡＣに実質的に同じであるＩＦＦＴサンプリング・レートまたは帯域幅は、１６０ＭＨｚである。ＩＦＦＴ３０６のサイズは、以下の式を用いて決定される。  
【数１】
2011516002.tif 000003
【００４０】
ＩＦＦＴ３０６のトーン間隔が１０ｋＨｚであると仮定すると、式１によれば、ＩＦＦＴサイズは、１６，３８４である。
【００４１】
図３Ｂは、本開示の別の態様にしたがう別の典型的な送信システム３２０のブロック図を例示する。前の実施形態におけるように、送信システム３２０は、例えば、アクセス・ポイント（ＡＰ）内に存在するもののように、送信機システム２１０において適用される。その代わりに、または、それに加えて、送信システム３２０は、例えば、アクセス端末（ＡＴ）内に存在するもののように、受信機システム２５０において適用される。
【００４２】
特に、送信システム３２０は、時間領域変調器ブロック３２２、ＦＦＴ３２４、ゼロ・パッド・モジュール３２６、ＩＦＦＴ３２８、ポストＩＦＦＴ処理モジュール３３０、ＤＡＣ３３２、アナログ・フロント・エンド３３４、およびアンテナ３３６を備える。時間領域変調器ブロック３２２は、入力されたデータから、第１のサンプリング・レートｆＳ１で、時間領域変調信号Ｓ１（ｔ）を生成する。変調器ブロック３２２は、この変調信号Ｓ１（ｔ）を生成するために、任意の数の時間領域変調（例えば、ＣＤＭＡ、ＳＣ−ＦＤＭ、ＴＤＭ等）を適用しうる。入力されたデータは、符号化され、インタリーブされ、信号コンステレーションへ変換され、さらに、その他の処理または追加の処理が適用されることが理解されるものとする。
【００４３】
ＦＦＴ３２４は、時間領域変調信号Ｓ１（ｔ）を、第１のサンプリング・レートｆＳ１と実質的に同一であるサンプリング・レート（例えば、ＦＦＴ帯域幅）を用いて、周波数領域変調信号Ｓ２（ｆ）へ変換する。ゼロ・パッド・モジュール３２６は、得られる変調信号Ｓ３（ｆ）が、ＩＦＦＴ３２８と実質的に同一のサイズであるブロック・サイズを有するように、変調信号Ｓ２（ｆ）に１または複数のゼロを追加する。ＩＦＦＴ３２８は、ＤＡＣ３３２のサンプリング・レートｆＤＡＣと実質的に同一であるサンプリング・レート（例えば、ＩＦＦＴ帯域幅）によって、周波数領域変調信号Ｓ３（ｆ）を、時間領域変調信号Ｓ４（ｔ）へ変換する。ポストＩＦＦＴ処理モジュール３３０は、時間領域変調信号Ｓ４（ｆ）について、指定された処理（例えば、ＡＧＣ、サイクリック・プレフィクスおよびウィンドウ追加、オーバラップおよび追加等）を実行し、処理された時間領域変調信号Ｓ５（ｔ）を生成する。ＤＡＣ３３２は、この処理された時間領域調信号Ｓ５（ｔ）を、デジタル領域からアナログ領域へと変換し、その結果として、アナログ信号Ｓ６（ｔ）が生成される。さらに、アナログ・フロント・エンド３３４は、このアナログ信号Ｓ６（ｔ）をフィルタおよびアップコンバートし、アンテナ３３６を介して無線媒体へ送信されるＲＦ信号Ｓ７（ｔ）を生成する。
【００４４】
図３Ｃは、本開示の別の態様による典型的なゼロ・パッド・モジュールの動作を例示する図を例示する。本明細書に記載の実施形態では、ゼロ・パッド・モジュールが、通常は複数のゼロである１または複数のゼロを、対応する周波数領域変調信号Ｓ（ｆ）のブロックへ追加する。追加されたゼロの量は、結果として得られる変調信号ブロックのサイズが、対応するＩＦＦＴと実質的に同じサイズになる量である。この例において、図示するように、これらゼロの半分が、ブロックの１つの側に追加され、他の半分が、ブロックの反対側に追加される。
【００４５】
図４Ａは、本開示の別の態様にしたがう典型的な送信システム４００のブロック図を例示する。前の実施形態におけるように、送信システム４００は、例えば、アクセス・ポイント（ＡＰ）内に存在するもののように、送信機システム２１０において適用される。その代わりに、または、それに加えて、送信システム４００は、例えば、アクセス端末（ＡＴ）内に存在するもののように、受信機システム２５０において適用される。
【００４６】
特に、送信システム４００は、周波数領域変調器ブロック４０２、ゼロ・パッド・モジュール４０４、ＩＦＦＴ４０６、ポストＩＦＦＴ処理モジュール４０８、送信機（Ｔｘ）時間領域補間回路／アップサンプラ４１０、ＤＡＣ４１２、アナログ・フロント・エンド４１４、およびアンテナ４１６を備える。時間領域変調器ブロック４０２は、入力されたデータから、第１のサンプリング・レートｆＳ１で、周波数領域変調信号Ｓ１（ｆ）を生成する。変調器ブロック３２２は、この変調信号Ｓ１（ｆ）を生成するために、任意の数の時間領域変調（例えば、ＣＤＭＡ、ＳＣ−ＦＤＭ、ＴＤＭ等）を適用しうる。入力されたデータは、符号化され、インタリーブされ、信号コンステレーションへ変換され、さらに、その他の処理または追加の処理が適用されることが理解されるものとする。
【００４７】
ゼロ・パッド・モジュール４０４は、得られる変調信号Ｓ２（ｆ）が、ＩＦＦＴ４０６のサイズと実質的に同じブロック・サイズを有するように、１または複数のゼロを、変調信号Ｓ１（ｆ）に加える。ＩＦＦＴ４０６は、第１のサンプリング・レートｆＳ１よりも高く、ＤＡＣ４１２のサンプリング・レートｆＤＡＣ未満である第２のサンプリング・レートｆＳ２（例えば、ＩＦＦＴ帯域幅）を用いることによって、周波数領域変調信号Ｓ２（ｆ）を、時間領域変調信号Ｓ３（ｔ）へ変換する。rポストＩＦＦＴ処理モジュール４０８は、時間領域変調信号Ｓ３（ｔ）について、指定された処理（例えば、ＡＧＣ、サイクリック・プレフィクスおよびウィンドウ追加、オーバラップおよび追加等）を実行し、処理された時間領域変調信号Ｓ４（ｔ）が生成される。時間領域補間回路／アップサンプラ４１０は、処理された時間領域変調信号Ｓ４（ｔ）をアップサンプルし、その結果、得られる変調信号Ｓ５（ｔ）は、ＤＡＣ４１２のサンプリング・レートｆＤＡＣと実質的に等しいサンプリング・レートを有するようになる。ＤＡＣ４１２は、この処理された時間領域変調信号Ｓ５（ｔ）を、デジタル領域からアナログ領域へと変換し、その結果として、アナログ信号Ｓ６（ｔ）が生成される。さらに、アナログ・フロント・エンド４１４は、このアナログ信号Ｓ６（ｔ）をフィルタおよびアップコンバートし、アンテナ４１６を介して無線媒体へ送信されるＲＦ信号Ｓ７（ｔ）が生成される。
【００４８】
この実施形態の例として、周波数領域変調信号Ｓ１（ｆ）の第１のサンプリング・レートｆＳ１は、１０ＭＨｚであり、第２のサンプリング・レートｆＳ２あるいはＩＦＦＴ帯域幅は４０ＭＨｚであり、ＤＡＣ４１２のサンプリング・レートｆＤＡＣは１６０ＭＨｚである。ＩＦＦＴ４０６のサイズは、以下の式を用いて決定される。  
【数２】
2011516002.tif 000004
【００４９】
ＩＦＦＴ３０６のトーン間隔が１０ｋＨｚであると仮定すると、式２によれば、ＩＦＦＴサイズは、４０９６である。
【００５０】
図４Ｂは、本開示の別の態様にしたがう別の典型的な送信システム４２０のブロック図を例示する。前の実施形態におけるように、送信システム４２０は、例えば、アクセス・ポイント（ＡＰ）内に存在するもののように、送信機システム２１０において適用される。その代わりに、または、それに加えて、送信システム４２０は、例えば、アクセス端末（ＡＴ）内に存在するもののように、受信機システム２５０において適用される。
【００５１】
特に、送信システム４２０は、時間領域変調器ブロック４２２、ＦＦＴ４２４、ゼロ・パッド・モジュール４２６、ＩＦＦＴ４２８、ポストＩＦＦＴ処理モジュール４３０、Ｔｘ時間領域補間回路／アップサンプラ４３２、ＤＡＣ４３４、アナログ・フロント・エンド４３６、およびアンテナ４３８を備える。時間領域変調器ブロック４２２は、入力されたデータから、第１のサンプリング・レートｆＳ１で、時間領域変調信号Ｓ１（ｔ）を生成する。変調器ブロック４２２は、この変調信号Ｓ１（ｆ）を生成するために、任意の数の時間領域変調（例えば、ＣＤＭＡ、ＳＣ−ＦＤＭ、ＴＤＭ等）を適用しうる。入力されたデータは、符号化され、インタリーブされ、信号コンステレーションへ変換され、さらに、その他の処理または追加の処理が適用されることが理解されるものとする。
【００５２】
ＦＦＴ４２４は、時間領域変調信号Ｓ１（ｔ）を、第１のサンプリング・レートｆＳ１と実質的に同一であるサンプリング・レート（例えば、ＦＦＴ帯域幅）を用いて、周波数領域変調信号Ｓ２（ｆ）へ変換する。ゼロ・パッド・モジュール４２６は、得られる変調信号Ｓ３（ｆ）が、ＩＦＦＴ４２８と実質的に同一のサイズであるブロック・サイズを有するように、変調信号Ｓ２（ｆ）に１または複数のゼロを追加する。ＩＦＦＴ４２８は、第１のサンプリング・レートｆＳ１よりも高く、ＤＡＣ４３４のサンプリング・レートｆＤＡＣ未満である第２のサンプリング・レートｆＳ２（例えば、ＩＦＦＴ帯域幅）を用いて、周波数領域変調信号Ｓ３（ｆ）を、時間領域変調信号Ｓ４（ｔ）へ変換する。ポストＩＦＦＴ処理モジュール４３０は、時間領域変調信号Ｓ４（ｔ）について、指定された処理（例えば、ＡＧＣ、サイクリック・プレフィクスおよびウィンドウ追加、オーバラップおよび追加等）を実行し、もって、処理された時間領域変調信号Ｓ５（ｔ）を生成する。時間領域補間回路／アップサンプラ４３２は、得られる変調信号Ｓ６（ｔ）が、ＤＡＣ４３４のサンプリング・レートｆＤＡＣと実質的に等しいサンプリング・レートを持つように、時間領域変調信号Ｓ５（ｔ）をアップサンプルする。ＤＡＣ４３４は、この時間領域変調信号Ｓ６（ｔ）を、デジタル領域からアナログ領域へ変換し、その結果として、アナログ信号Ｓ７（ｔ）が生成される。さらに、アナログ・フロント・エンド４３６は、このアナログ信号Ｓ７（ｔ）をフィルタおよびアップコンバートし、もって、アンテナ４３８を介して無線媒体へ送信されるＲＦ信号Ｓ８（ｔ）が生成される。
【００５３】
図５Ａは、本開示の別の態様にしたがってＲＦ信号を送信する典型的な方法５００のフローチャートを例示する。方法５００は、周波数領域変調器を含んでいる実施形態３００および実施形態４００の動作を要約する。方法５００は、コンピュータのようなシステム、専用ハードウェア、あるいはそれらの任意の組み合わせにおいて動作するソフトウェアまたはコードを用いて実現される。
【００５４】
方法５００によれば、周波数領域変調信号は、例えばＯＦＤＭまたはＯＦＤＭＡの変調器によって、第１のサンプリング・レートで生成される（ブロック５０２）。その後、周波数領域変調信号のブロックが、例えば、ゼロをパディングすることによってリサイズされ、もって、ＩＦＦＴサイズと実質的に同一となる（ブロック５０４）。その後、リサイズされた周波数領域変調信号についてＩＦＦＴが実行され、第１のサンプリング・レートよりも高い第２のサンプリング・レートで、時間領域変調信号が生成される（ブロック５０６）。第１の実施形態では、第２のサンプリング・レートは、本明細書にさらに説明するように、ＤＡＣの第３のサンプリング・レートと実質的に同じである。第２の実施形態では、第２のサンプリング・レートは、ＤＡＣの第３のサンプリング・レート未満である。
【００５５】
その後、時間領域変調信号について、指定された処理（例えば、ＡＧＣ、サイクリック・プレフィクスおよびウィンドウ追加、オーバラップおよび追加等）が実行される（ブロック５０８）。その後、第２の実施形態の場合、処理された時間領域変調信号が、第２のサンプリング・レートから第３のサンプリング・レートへアップサンプルされる（ブロック５１０）。その後、処理された時間領域変調信号は、例えば、第３のサンプリング・レートで動作するＤＡＣを用いて、デジタル領域からアナログ領域へ変換される（ブロック５１２）。その後、アナログの時間領域変調信号が、フィルタおよびアップコンバートされて、ＲＦ信号が生成される（ブロック５１４）。その後、ＲＦ信号は、１または複数の遠隔通信デバイスのための無線媒体へ送信される（ブロック５１６）。
【００５６】
図５Ｂは、本開示の別の態様にしたがってＲＦ信号を送信する別の典型的な方法５５０のフローチャートを例示する。方法５５０は、時間領域変調器を含む実施形態３２０および実施形態４２０の動作を要約する。方法５５０は、コンピュータのようなシステム、専用ハードウェア、あるいはそれらの任意の組み合わせにおいて動作するソフトウェアまたはコードを用いて実現される。
【００５７】
方法５５０によれば、第１の時間領域変調信号は、例えばＣＤＭＡ、ＳＣ−ＦＤＭ、あるいはＴＤＭの変調器によって、第１のサンプリング・レートで生成される（ブロック５５２）。その後、第１の時間領域変調信号が、例えば、第１のサンプリング・レートで動作するＦＦＴによって、周波数領域変調信号へ変換される（ブロック５５４）。その後、周波数領域変調信号のブロックが、ＩＦＦＴサイズと実質的に同一になるように、例えばゼロをパディングすることによってリサイズされる（ブロック５５６）。その後、リサイズされた周波数領域変調信号についてＩＦＦＴが実行され、第１のサンプリング・レートよりも高い第２のサンプリング・レートで、第２の時間領域変調信号が生成される（ブロック５５８）。第１の実施形態では、第２のサンプリング・レートは、本明細書にさらに説明するように、ＤＡＣの第３のサンプリング・レートと実質的に同じである。第２の実施形態では、第２のサンプリング・レートは、ＤＡＣの第３のサンプリング・レート未満である。
【００５８】
その後、この第２の時間領域変調信号について、指定された処理（例えば、ＡＧＣ、サイクリック・プレフィクスおよびウィンドウ追加、オーバラップおよび追加等）が実行される（ブロック５６０）。その後、第２の実施形態の場合、処理された時間領域変調信号が、第２のサンプリング・レートから第３のサンプリング・レートへアップサンプルされる（ブロック５６２）。その後、処理された時間領域変調信号は、例えば、第３のサンプリング・レートで動作するＤＡＣを用いて、デジタル領域からアナログ領域へ変換される（ブロック５６４）。その後、アナログの時間領域変調信号がフィルタおよびアップコンバートされて、ＲＦ信号が生成される（ブロック５６６）。その後、ＲＦ信号は、１または複数の遠隔通信デバイスのための無線媒体へ送信される（ブロック５６８）。
【００５９】
開示された処理におけるステップの具体的な順序または階層は、典型的なアプローチの例であることが理解される。設計選択に基づいて、これら処理におけるステップの具体的な順序または階層は、本開示のスコープ内であることを保ちながら、再構成されうることが理解される。方法請求項は、さまざまなステップの要素を、サンプル順で示しており、示された具体的な順序または階層に限定されないことが意味される。
【００６０】
当業者であれば、情報および信号は、さまざまな異なる技術および技法のうちの何れかを用いて表されうることを理解するであろう。例えば、上記の説明の全体にわたって述べられたデータ、命令群、コマンド、情報、信号、ビット、シンボル、およびチップは、電圧、電流、電磁波、磁場または磁気粒子、光学場または光学粒子、エネルギ状態の変化、あるいは、これらの任意の組み合わせによって表されうる。
【００６１】
当業者であればさらに、本明細書で開示された実施形態に関連して記載された例示的なさまざまな論理ブロック、モジュール、回路、およびアルゴリズム・ステップは、電子的なハードウェア、コンピュータ・ソフトウェア、あるいはこれら両方の組み合わせとして実現されることを認識するであろう。ハードウェアとソフトウェアとの相互置換性を明確に説明するために、さまざまな例示的な構成要素、ブロック、モジュール、回路、およびステップが、それらの機能の観点から一般的に記述された。それら機能がハードウェアとしてまたはソフトウェアとして実現されるかは、特定のアプリケーションおよびシステム全体に課せられている設計制約に依存する。当業者であれば、特定のアプリケーションおのおのに応じて変化する方法で上述した機能を実現することができる。しかしながら、この適用判断は、本発明の範囲からの逸脱をもたらすものと解釈されるべきではない。
【００６２】
本明細書で開示された実施形態に関連して記述されたさまざまな例示的な論理ブロック、モジュール、および回路は、汎用プロセッサ、デジタル信号プロセッサ（ＤＳＰ）、特定用途向け集積回路（ＡＳＩＣ）、フィールド・プログラマブル・ゲート・アレイ（ＦＰＧＡ）あるいはその他のプログラマブル論理デバイス、ディスクリート・ゲートあるいはトランジスタ・ロジック、ディスクリート・ハードウェア構成要素、または上述された機能を実現するために設計された上記何れかの組み合わせを用いて実現または実施されうる。汎用プロセッサとしてマイクロ・プロセッサを用いることが可能であるが、代わりに、従来技術によるプロセッサ、コントローラ、マイクロコントローラ、あるいは順序回路を用いることも可能である。プロセッサは、例えばＤＳＰとマイクロ・プロセッサとの組み合わせ、複数のマイクロ・プロセッサ、ＤＳＰコアと連携する１または複数のマイクロ・プロセッサ、またはその他任意のこのような構成である計算デバイスの組み合わせとして実現することも可能である。
【００６３】
本明細書で開示された実施形態に関して記述された方法またはアルゴリズムのステップは、ハードウェアにおいて直接的に、プロセッサによって実行されるソフトウェア・モジュールによって、あるいはこれら２つの組み合わせによって具体化されうる。ソフトウェア・モジュールは、ＲＡＭメモリ、フラッシュ・メモリ、ＲＯＭメモリ、ＥＰＲＯＭメモリ、ＥＥＰＲＯＭメモリ、レジスタ、ハード・ディスク、リムーバブル・ディスク、ＣＤ−ＲＯＭ、あるいは当該技術分野で知られているその他の型式の記憶媒体に収納されうる。典型的な記憶媒体は、この記憶媒体から情報を読み取ったり、この記憶媒体に情報を書き込むことができるプロセッサのようなプロセッサに接続される。あるいは、この記憶媒体は、プロセッサに統合されうる。このプロセッサと記憶媒体とは、ＡＳＩＣ内に存在することができる。ＡＳＩＣは、ユーザ端末内に存在することもできる。あるいはプロセッサと記憶媒体とは、ユーザ端末内のディスクリート部品として存在することができる。
【００６４】
１または複数の典型的な実施形態では、記載された機能は、ハードウェア、ソフトウェア、ファームウェア、あるいはそれらの任意の組み合わせによって実現されうる。ソフトウェアで実現される場合、これら機能は、コンピュータ読取可能媒体上に格納されるか、あるいは、コンピュータ読取可能媒体上の１または複数の命令群またはコードとして送信されうる。コンピュータ読取可能媒体は、コンピュータ記憶媒体と通信媒体との両方を含む。これらは、コンピュータ・プログラムのある場所から別の場所への転送を容易にする任意の媒体を含む。記憶媒体は、コンピュータによってアクセスされうる利用可能な任意の媒体である。例として、限定することなく、そのようなコンピュータ読取可能媒体は、ＲＡＭ、ＲＯＭ、ＥＥＰＲＯＭ、ＣＤ−ＲＯＭまたはその他の光ディスク記憶装置、磁気ディスク記憶装置またはその他の磁気記憶デバイス、あるいは、所望のプログラム・コード手段を命令群またはデータ構造の形式で搬送または格納するために使用され、しかも、コンピュータによってアクセスされうるその他任意の媒体を備えうる。さらに、いかなる接続も、コンピュータ読取可能媒体と適切に称される。同軸ケーブル、光ファイバ・ケーブル、ツイスト・ペア、デジタル加入者線（ＤＳＬ）、あるいは、例えば赤外線、無線およびマイクロ波のような無線技術を使用して、ウェブサイト、サーバ、あるいはその他の遠隔ソースからソフトウェアが送信される場合、同軸ケーブル、光ファイバ・ケーブル、ツイスト・ペア、ＤＳＬ、あるいは、例えば赤外線、無線およびマイクロ波のような無線技術が、媒体の定義に含まれる。本明細書で使用されるディスク（ｄｉｓｋおよびｄｉｓｃ）は、コンパクト・ディスク（ＣＤ）、レーザ・ディスク、光ディスク、デジタル・バーサタイル・ディスク（ＤＶＤ）、フロッピー（登録商標）ディスク、およびブルー・レイ・ディスクを含む。これらｄｉｓｃは、レーザを用いてデータを光学的に再生する。それに対して、ｄｉｓｋは、通常、データを磁気的に再生する。上記の組み合わせもまた、コンピュータ読取可能媒体の範囲内に含まれるべきである。
【００６５】
開示された実施形態の上記記載は、当業者をして、本開示の製造または利用を可能とするように提供される。これら実施形態に対する様々な変形例もまた、当業者には明らかであって、本明細書で定義された一般的な原理は、本開示の主旨または範囲から逸脱することなく他の例にも適用されうる。このように、本発明は、本明細書で示された実施形態に限定されるものではなく、本明細書で開示された原理および新規な特徴に一致した最も広い範囲に相当することが意図されている。
【図１】
2011516002.tif 000005
【図２】
2011516002.tif 000006
【図３Ａ】
2011516002.tif 000007
【図３Ｂ】
2011516002.tif 000008
【図３Ｃ】
2011516002.tif 000009
【図４Ａ】
2011516002.tif 000010
【図４Ｂ】
2011516002.tif 000011
【図５Ａ】
2011516002.tif 000012
【図５Ｂ】
2011516002.tif 000013
【国際調査報告】
2011516002.tif 000014
2011516002.tif 000015
2011516002.tif 000016